(57)【特許請求の範囲】
【請求項１】
壁面緑化用器具を複数備え、複数の該壁面緑化用器具のうちの一つの壁面緑化用器具の上段部の各第１の凹部と、他の壁面緑化用器具の下段部の各第２の凹部とが対向し、前記一つの壁面緑化用器具の上段部が他の壁面緑化用器具の下段部の上に重なるように接続され、前記複数の前記壁面緑化用器具が壁面に対して傾けて取り付けられる壁面緑化用パネルに用いられる、壁面緑化用器具であって、
上段部と下段部とを有し、該上段部と該下段部との間に段差が設けられ、
前記上段部は、壁側の面にそれぞれ第１の凹部を有する、複数の第１の湾曲部を有し、
前記下段部は、前記壁側の面とは反対の面にそれぞれ第２の凹部を有する、複数の第２の湾曲部を有し、
前記複数の第１の湾曲部の各第１の湾曲部と前記複数の第２の湾曲部の各第２の湾曲部とは前記段差を介して上下方向に並ぶように設けられ、
前記第１の凹部の中心線と前記第２の凹部の中心線は、前記壁側の面又は前記壁側の面とは反対の面から見たとき同一線上にあり、
前記第１の凹部と前記第２の凹部との形状は縦切断筒状である、壁面緑化用器具。
【請求項２】
前記第１の凹部及び前記第２の凹部は、前記上段部と前記下段部の並び方向とは直角な方向に複数個設けられている、請求項１に記載の壁面緑化用器具。
【請求項３】
前記第１の凹部と前記第２の凹部とは、同一形状である、請求項１又は２に記載の壁面緑化用器具。
【請求項４】
請求項１から３のいずれか１項に記載の壁面緑化用器具を複数備え、複数の該壁面緑化用器具のうちの一つの壁面緑化用器具の上段部の各第１の凹部と、他の壁面緑化用器具の下段部の各第２の凹部とが対向し、前記一つの壁面緑化用器具の上段部が他の壁面緑化用器具の下段部の上に重なるように接続された、壁面緑化用パネル。
【請求項５】
複数の前記壁面緑化用器具が壁面に対して傾けて取り付けられた、請求項４に記載の壁面緑化用パネル。
【発明の詳細な説明】
【技術分野】
【０００１】
本発明は、壁面緑化用器具及び壁面緑化用パネルに係り、特に壁面に造花、人工観葉植物等を壁面に装着するための壁面緑化用器具及び壁面緑化用パネルに関する。
【背景技術】
【０００２】
壁面緑化用器具としては、例えば、特許文献１に記載された壁面緑化ユニット及び特許文献２に記載された壁面緑化部材がある。
特許文献１には、単体又は上下方向に積み重ねた複数のユニットの最上部に水分を受ける受水蓋が設けられ、各ユニットは上下方向に所定間隔をあけて前方が開放された状態に複数のトレーを保持する前枠と各トレーの後部を保持する中板と該中板の後面に設けられた水分の浸透性を有する保水材と該保水材の後面を保持して壁面に取り付ける後枠とを有し、保水材を介して上方から供給された水分を各トレーに引き込む構造により、受水蓋に設けられた排水穴から保水材に給水された水分が各トレー内に充填された植栽土壌に配分されるようにした壁面緑化ユニットが記載されている。
【０００３】
また、特許文献２には、壁面緑化部材を壁面あるいは支柱に取り付けて壁面を直線状に緑化するものであって、壁面と壁面緑化部材との間に土壌を充填し、植物の根が成長する空間を広げることができるよう土壌と接する側面に透孔を設け土壌を一体化させた壁面緑化部材が記載されている。また、壁面緑化部材において、傾斜面でも対応可能なように側面が傾斜できるようにすると共に、底面および側面の長さを変更し充填可能な土壌の量を調節可能とすることが記載されている。さらに、壁面緑化部材において、底面に刃物が入るスリットを設け、過剰に成長した根を切れるようにし、さらに側面に網を設け、植物に風が直接当たらないようにすることが記載されている。
【先行技術文献】
【特許文献】
【０００４】
【特許文献１】特開２００４−３３７０５４号公報
【特許文献２】特開２００５−３４１９０５号公報
【発明の概要】
【発明が解決しようとする課題】
【０００５】
壁面に造花、人工観葉植物等を壁面に装着する場合、壁面緑化用器具の大きさを壁面の大きさに合わせようとすると、運搬や搬入が難しくなる。また、壁面は場所によって大きさが異なるため、その大きさによって複数の壁面緑化用器具を縦横に並べて装着することが望まれる。
そして、複数の壁面緑化用器具を互いに接続する場合、簡易な手段で接続することが望まれる。
【０００６】
本発明は、上記課題を解決する壁面緑化用器具及び壁面緑化用パネルを提供することを目的とする。
【課題を解決するための手段】
【０００７】
（１）  本発明の第１の態様は、壁面緑化用器具を複数備え、複数の該壁面緑化用器具のうちの一つの壁面緑化用器具の上段部の各第１の凹部と、他の壁面緑化用器具の下段部の各第２の凹部とが対向し、前記一つの壁面緑化用器具の上段部が他の壁面緑化用器具の下段部の上に重なるように接続され、前記複数の前記壁面緑化用器具が壁面に対して傾けて取り付けられる壁面緑化用パネルに用いられる、壁面緑化用器具であって、
上段部と下段部とを有し、該上段部と該下段部との間に段差が設けられ、
前記上段部は、壁側の面にそれぞれ第１の凹部を有する、複数の第１の湾曲部を有し、
前記下段部は、前記壁側の面とは反対の面にそれぞれ第２の凹部を有する、複数の第２の湾曲部を有し、
前記複数の第１の湾曲部の各第１の湾曲部と前記複数の第２の湾曲部の各第２の湾曲部とは前記段差を介して上下方向に並ぶように設けられ、
前記第１の凹部の中心線と前記第２の凹部の中心線は、前記壁側の面又は前記壁側の面とは反対の面から見たとき同一線上にあり、
前記第１の凹部と前記第２の凹部との形状は縦切断筒状である、壁面緑化用器具である。
【０００８】
（２）  上記（１）において、前記第１の凹部及び前記第２の凹部は、前記上段部と前記下段部の並び方向とは直角な方向に複数個設けられていることが望ましい。
【０００９】
（３）  上記（１）又は（２）において、前記第１の凹部と前記２の凹部とは、同一形状であることが望ましい。
【００１１】
（４）  本発明の第２の態様は、上記（１）から（３）のいずれかの壁面緑化用器具を複数備え、複数の該壁面緑化用器具のうちの一つの壁面緑化用器具の上段部が他の壁面緑化用器具の下段部の上に重なるように接続された、壁面緑化用パネルである。
【００１２】
（５）  上記（４）の壁面緑化用パネルにおいて、壁面緑化用パネルは壁面に対して傾けて取り付けられることが望ましい。
【発明の効果】
【００１３】
本発明によれば、壁面の大きさに合わせて、簡易な手段で接続して、複数の壁面緑化用器具を縦横に並べて装着することができる。
また本発明によれば、壁面緑化用器具は小型にできるので、運搬や搬入が容易になる。
【図面の簡単な説明】
【００１４】
【図１】本発明の一実施形態に係る壁面緑化用器具の構成を示す斜視図である。
【図２】壁面緑化用器具を３段重ねる前の状態を示す分解斜視図である。
【図３】壁面緑化用器具を３段重ねて接続した壁面緑化パネルを示す斜視図である。
【図４】壁面緑化用器具を３段重ねて接続した壁面緑化パネルを示す正面図である。
【図５】固定ピンを用いて２つの壁面緑化用器具を接続する様子を示す概略的一部斜視図である。
【図６】固定ピンを用いて２つの壁面緑化用器具を接続した状態を示す部分断面図である。
【図７】壁面緑化用器具を３段重ねて接続した壁面緑化パネルを示す断面図である。
【図８】壁面緑化用器具を重ねて接続する他の方法を示す斜視図である。
【発明を実施するための形態】
【００１５】
以下、本発明の実施形態について図面を用いて詳細に説明する。
本実施形態の壁面緑化用器具は縦方向に複数重ねて接続して用いられ、必要に応じて横方向に並べて接続して用いられる。
図１は本発明の一実施形態に係る壁面緑化用器具の構成を示す斜視図である。図２は壁面緑化用器具を３段重ねる前の状態を示す分解斜視図である。図３は壁面緑化用器具を３段重ねて接続した壁面緑化パネルを示す斜視図である。図４は壁面緑化用器具を３段重ねて接続した壁面緑化パネルを示す正面図である。
【００１６】
図１に示すように、壁面緑化用器具１０は、上段部１０Ａと下段部１０Ｂからなる。
上段部１０Ａは、４つの平面部１１０、平面部１１０間にそれぞれ設けられた３つの凸状湾曲部１１１、及び平面部１１０の下部に設けられた内側ビス取り付け部１１２を備えている。平面部１１０は縦方向に３個、横方向に２個の開口部１１３が行列状に形成されている。横方向の両端部の平面部１１０は、横方向（上段部１０Ａと下段部１０Ｂとの並び方向とは直角な方向）に壁面緑化用器具１０どうしを凸状湾曲部１１１のピッチを合わせて接続するために横方向の幅が１／２となっている。凸状湾曲部１１１の壁側の面は第１の凹部となり、上段部１０Ａは、壁側の面に第１の凹部を有することになる。凸状湾曲部１１１は３個横方向に配置されているため、第１の凹部は上段部１０Ａと下段部１０Ｂとの並び方向とは直角な方向に３個設けられることになる。
【００１７】
下段部１０Ｂは、平板部１１４、４つの平面部１１５、平面部１１５間にそれぞれ設けられた３つの凹状湾曲部１１６、平板部１１４の下部に設けられた外側ビス取り付け部１１７、及び凹状湾曲部１１６の外面側に設けられた三角状板部１１８を備えている。横方向の両端部の平面部１１５は、横方向（上段部１０Ａと下段部１０Ｂとの並び方向とは直角な方向）に壁面緑化用器具１０どうしを凹状湾曲部１１６のピッチを合わせて接続するために横方向の幅が１／２となっている。凹状湾曲部１１６の壁側の面と反対の面は第２の凹部となり、下段部１０Ｂは、壁側の面とは反対の面に第２の凹部を有することになる。凹状湾曲部１１６は３個横方向に配置されているため、第２の凹部は上段部１０Ａと下段部１０Ｂとの並び方向とは直角な方向に３個設けられることになる。
【００１８】
凸状湾曲部１１１の壁側の面は縦切断円筒となり、この縦切断円筒の中心線Ｌｕは第１の凹部の中心線となる。また、凹状湾曲部１１６の壁側の面と反対の面は縦切断円筒となり、この縦切断円筒の中心線Ｌｄは第２の凹部の中心線となる。凸状湾曲部１１１の壁側の面（第１の凹部）の中心線Ｌｕと、凹状湾曲部１１６の壁側の面と反対の面（第２の凹部）の中心線Ｌｄは、壁側の面又は壁側の面とは反対の面から見たとき同一線上にある。
なお「同一線」とは、壁側の面又は壁側の面とは反対の面から見たときに、凸状湾曲部１１１の壁側の面の中心線と、凹状湾曲部１１６の壁側の面と反対の面の中心線が完全に同一線上になくともよく、人工観葉植物の茎や枝の部分が挿入できる程度に開口部１５と開口部１６が形成可能であれば、製造上のバラツキ、例えば、±１０％以内の誤差があってもよい。以下の説明において、「同一線」とはかかる意味で用いられる。
【００１９】
なお、上段部の「上」、下段部も「下」は壁面に壁面緑化用器具を取り付けたときに、水平面に対して上、下であることを示す。
【００２０】
内側ビス取り付け部１１２は平面部１１０ごとに設けられ、外側ビス取り付け部１１７は平面部１１５ごとに設けられているが、内側ビス取り付け部１１２及び外側ビス取り付け部１１７は、平面部ごとに設ける必要はない。例えば、壁面緑化用器具１０を横方向に複数配置したときに、内側ビス取り付け部１１２及び外側ビス取り付け部１１７は、並んだ複数の平面部１１０と並んだ複数の平面部１１５に対して、１つ置き、２つ置き、又は３つ置きに設けられてもよい。
【００２１】
上段部１０Ａの平面部１１０、凸状湾曲部１１１は、下段部１０Ｂの平面部１１５、凹状湾曲部１１６と段差を生じるように配置されている。段差は凸状湾曲部１１１の底部と凹状湾曲部１１６の上部とは、開口部を形成するときに開口部が狭められないように、互いに重ならないようにすることが好ましいが、造花、人工観葉植物が開口部に挿入可能であれば、一部重なってもよい。
なお、平面部１１０と平面部１１５の数、凸状湾曲部１１１と凹状湾曲部１１６の数は適宜決められる。ただし、複数の壁面緑化用器具の接続時に、１つの壁面緑化用器具の平面部１１０と他の壁面緑化用器具の平面部１１５、及び１つの壁面緑化用器具の凸状湾曲部１１１と他の壁面緑化用器具の凹状湾曲部１１６は対向して接続されるので、平面部１１０の数と平面部１１５の数、凸状湾曲部１１１の数と凹状湾曲部１１６の数は同数設けられる。
【００２２】
図２〜図４に示すように、壁面緑化用器具を縦方向に３枚重ねて接続する場合は、壁面緑化用器具１０に対応する壁面緑化用器具１１、１２を、壁面緑化用器具１１の下段部１０Ｂと壁面緑化用器具１２の上段部１０Ａとが互いに縦方向（上下方向）に重なるように接続する。壁面緑化用器具１１及び１２は、それぞれ図１に示した壁面緑化用器具１０の各部を備えている。また、最下段は壁面緑化用器具１０の上段部１０Ａに対応する壁面緑化用器具１３を用い、壁面緑化用器具１３の上段部１０Ａが壁面緑化用器具１２の下段部１０Ｂ上に縦方向に重なるように接続する。図３及び図４に示すように、壁面緑化用器具１１、１２及び１３が重なって壁面緑化用パネルが構成される。
【００２３】
壁面緑化用器具１１の下段部１０Ｂ上に壁面緑化用器具１２の上段部１０Ａが重なると、壁面緑化用器具１１の凹状湾曲部１１６の壁側の面と反対の面（第２の凹部となる）と、壁面緑化用器具１２の凸状湾曲部１１１の壁側の面（第１の凹部となる）とが対向して円筒状の開口部１５を構成する。また、壁面緑化用器具１２の下段部１０Ｂ上に壁面緑化用器具１３の上段部１０Ａが重なると、壁面緑化用器具１２の凹状湾曲部１１６の壁側の面と反対の面（第２の凹部となる）と、壁面緑化用器具１３の凸状湾曲部１１１の壁側の面（第１の凹部となる）とが対向して円筒状の開口部１６を構成する。
円筒状の開口部１５と円筒状の開口部１６が構成されるのは、凸状湾曲部１１１の壁側の面（第１の凹部）の中心線と、凹状湾曲部１１６の壁側の面と反対の面（第２の凹部）の中心線が、壁側の面又は壁側の面とは反対の面から見たとき同一線上にあるからである。
【００２４】
壁面緑化用器具１１の下段部１０Ｂと壁面緑化用器具１２の上段部１０Ａとが互いに重なると、図３に示すように、壁面緑化用器具１１の外側ビス取り付け部１１７に、壁面緑化用器具１２の内側ビス取り付け部１１２が入り込み、壁面緑化用器具１２の内側ビス取り付け部１１２側から、壁面にタッピングビスでビス止めされる。壁面緑化用器具１２の下段部１０Ｂと壁面緑化用器具１３の上段部１０Ａとが互いに重なった場合も同様に壁面緑化用器具１３の内側ビス取り付け部１１２側から、壁面にタッピングビスでビス止めされる。
【００２５】
壁面緑化用器具１１、１２及び１３は、互いに重ね合わせたとき壁面緑化パネルを構成する。この壁面緑化パネルは、開口部１５、１６の直径が１０ｍｍ、開口部１５、１６の中心線が壁面に対して１３．５度、開口部１５、１６の間隔は２５ｍｍ、開口部１５、１６の高さは５０ｍｍになるように設定されているが、特にこの値に限定されず、開口部に挿入する造花、人工観葉植物等の大きさ、壁の高さ等によって適宜設定される。
【００２６】
壁面緑化用器具１１と１２どうしを接続する場合は、図５及び図６に示すように、固定ピン２０を壁面緑化用器具１２の平面部１１０に設けられた開口部１１３に通して、壁面緑化用器具１１に設けられた平面部１１５の開口部１１９の周囲に取り付けて接続する。壁面緑化用器具１２と１３とを接続する場合も同様に固定ピン２０を用いて接続する。固定ピンを用いて壁面緑化用器具どうしを接続する位置の数は特に限定されない。
図５は固定ピンを用いて２つの壁面緑化用器具を接続する様子を示す概略的一部斜視図である。図６は固定ピンを用いて２つの壁面緑化用器具を接続した状態を示す断面図である。
なお、固定ピン２０において、図６に示した空間に、後述する図７に示した人工観葉植物３０の茎を通し、人工観葉植物３０を保持して人工観葉植物３０が倒れないようにすることができる。固定ピン２０は、壁面緑化用器具１２の内側ビス取り付け部１１２側から、壁面にタッピングビスでビス止めされことで、壁面緑化用器具どうしが接続可能であれば、人工観葉植物３０を保持する目的だけに平面部１１０に設けられた開口部１１３に通してもよい。
【００２７】
複数の壁面緑化用器具を横方向に接続する場合には、隣接する一方の壁面緑化用器具の幅が１／２である端部の平面部１１０、及び幅が１／２である端部の平面部１１５と、他方の壁面緑化用器具の端部の幅が１／２である端部の平面部１１０及び幅が１／２である端部の平面部１１５とを隣接させて配置する。
【００２８】
壁面緑化用器具１１〜１３を縦方向に３枚重ねて接続した壁面緑化用パネルは、図７に示すように三角状板部１１８で支持されて壁面４０に対して傾けて取り付けられ、開口部１５、１６に人工観葉植物３０を挿入することができる。ここでは、開口部１５、１６の中心線が壁面に対して１３．５度となるように、壁面緑化用パネルが取り付けられるが特にこの角度に限定されない。人工観葉植物３０の他に、又は人工観葉植物３０とともに造花を挿入してよい。
【００２９】
以上説明した本実施形態によれば、壁面の大きさに合わせて、固定ピンのように簡易な手段で接続して、複数の壁面緑化用器具を縦横に並べて装着することができる。
また本実施形態によれば、壁面緑化用器具は小型にできるので、運搬や搬入が容易になる。そして、壁面緑化用パネルを設置する場所で、壁面緑化用器具を接続して壁面緑化用パネルを作成することができる。
【００３０】
上述した実施形態は、本発明の好適な実施形態ではあるが、上記実施形態のみに本発明の範囲を限定するものではなく、本発明の要旨を逸脱しない範囲において種々の変更を施した形態での実施が可能である。
例えば、図３及び図４に示した構成では、壁面緑化用器具１１の上段部１０Ａは円筒状の開口部を設けることはできないが、壁面緑化用器具１０の下段部１０Ｂに対応する壁面緑化用器具を壁面緑化用器具１１の上段部１０Ａに接続することで開口部を形成することができる。この場合、下から、壁面緑化用器具（上段部１０Ａのみ）１３、１２、１１及び壁面緑化用器具１０の下段部１０Ｂに対応する壁面緑化用器具の順に接続して、４つの壁面緑化用器具を重ねて接続すれば、縦方向に３つの開口部を構成することができる。
最も下に配置される壁面緑化用器具（上段部１０Ａのみ）と最も上に配置される壁面緑化用器具（下段部１０Ｂのみ）との間に配置される壁面緑化用器具１０の数は特に限定されず、壁の高さに応じて任意の数分設けることができる。
【００３１】
また、上述した実施形態では、凹状湾曲部と凸状湾曲部とで円筒状の開口部を構成したが、四角筒等の各筒状の開口部を構成してもよい。凹状湾曲部と凸状湾曲部との断面形状は特に限定されず、例えば四角筒の開口部を構成する場合、凹状湾曲部と凸状湾曲部との断面形状は「コ」の字状であっても、「く」の字状であってもよい。また、開口部は下方に従って絞られる逆円錐状や逆角錐状の筒であってもよい。
【００３２】
凹状湾曲部１１６と凸状湾曲部１１１（第２の凹部と第１の凹部）の形状は、ともに大きさが同じ縦切断円筒で同一形状とし、開口部は円筒状としているが、凹状湾曲部と凸状湾曲部の形状は異なってもよい。例えば、凹状湾曲部１１６は、断面形状が「コ」の字状の縦切断四角筒状とし、凸状湾曲部１１１は、断面形状が円弧状の縦切断円筒状としてもよい。また、凸状湾曲部１１１の曲率半径を凹状湾曲部１１６の曲率半径よりも大きくする等、両曲率半径を互いに変えて大きさを変えてもよい。
なお、「縦切断筒」とは、縦切断円筒、縦切断四角筒を含み、縦方向（長さ方向）に切断した筒をいう。
【００３３】
さらに、上述した実施形態では、開口部の下側は開口されて、造花、人工観葉植物等を開口部に挿入したときに、造花、人工観葉植物の茎や枝の部分が下側の開口端から突き抜ける構成となっているが、下側を閉塞させるように底面を形成してもよい。例えば、図１の凸状湾曲部１１１と凹状湾曲部１１６との下部に半円状の底面を形成して、下側が閉塞された開口部を構成することができる。
【００３４】
上述した実施形態では、固定ピンを平面部１１０の開口部１１３に通して、壁面緑化用器具１１と壁面緑化用器具１２とを接続し、同様に、固定ピンを用いて、壁面緑化用器具１２と壁面緑化用器具１３とを接続した。
しかし、壁面緑化用器具を重ねて接続する方法は他の方法を用いてもよい。図８は、壁面緑化用器具を重ねて接続する他の方法を示す斜視図である。図８に示すように、２つの壁面緑化用器具を重ねて接続する場合、１つの壁面緑化用器具の平面部１１０の壁面側に、断面がＬ字状のフック部１１０ａが設けられ、他方の壁面緑化用器具の平板部１１４に、フック部１１０ａが挿入可能で、底面に開口部が設けられた凹部１１４ａが設けられている。
このような方法により、壁面緑化用器具を重ねて接続することができる。この場合、図１に示した開口部１１３及び開口部１１９は不要となる。
【符号の説明】
【００３５】
１０、１１、１２、１３  壁面緑化用器具
１０Ａ  上段部
１０Ｂ  下段部
２０  固定ピン
３０  人工観葉植物
４０  壁面
１１０  平面部
１１１  凸状湾曲部
１１２  内側ビス取り付け部
１１３  開口部
１１４  平板部
１１５  平面部
１１６  凹状湾曲部
１１７  外側ビス取り付け部
１１８  三角状板部
１１９  開口部
【要約】
【課題】壁面の大きさに合わせて、簡易な手段で接続して、縦横に並べて取り付け可能な壁面緑化用器具を提供する。
【解決手段】上段部と下段部とを有し、上段部と下段部との間に段差が設けられた壁面緑化用器具であって、上段部は、壁側の面に第１の凹部を有し、下段部は、壁側の面とは反対の面に第２の凹部を有し、第１の凹部の中心線と第２の凹部の中心線は、壁側の面又は壁側の面とは反対の面から見たとき同一線上にある。第１の凹部及び第２の凹部は、上段部と下段部の並び方向とは直角な方向に複数個設けることができる。
【選択図】図１【図１】
0006755054.tif 000002
【図２】
0006755054.tif 000003
【図３】
0006755054.tif 000004
【図４】
0006755054.tif 000005
【図５】
0006755054.tif 000006
【図６】
0006755054.tif 000007
【図７】
0006755054.tif 000008
【図８】
0006755054.tif 000009